(57)【特許請求の範囲】
【請求項１】
内容物を収容する内容器と、
前記内容器を収容する外容器と、
前記内容器に収容される内容物を吐出するポンプと、
を備え、
前記内容器は、
内容物を収容するための収容空間を有する第１胴部と、
前記第１胴部から延びている第１口部と、
前記第１口部の外周面に形成される第１雄螺子と、
を有し、
前記外容器は、
前記内容器を収容する第２胴部と、
前記第２胴部から延びている第２口部と、
前記第２口部の外周面に形成される第２雄螺子と、
を有し、
前記ポンプは、
前記第１雄螺子に螺合する第１雌螺子、及び前記第２雄螺子に螺合する第２雌螺子を有するポンプキャップを、
有し、
前記第１雄螺子に対して前記第１雌螺子を締め付け、かつ、前記第２雄螺子に対して前記第２雌螺子を締め付ける方向を締め付け方向とし、前記第１雄螺子に対して前記第１雌螺子を緩め、かつ、前記第２雄螺子に対して前記第２雌螺子を緩める方向を開放方向として、
前記外容器及び前記内容器は、前記外容器と前記内容器の前記締め付け方向における相対移動を、前記締め付け方向における所定位置で制限するとともに、前記開放方向の相対移動を許容する位置決め部を有する、
二重容器。
【請求項２】
請求項１に記載の二重容器であって、
前記内容器は、前記外容器に収容された状態で前記第２口部に対向する肩部を、
有し、
前記位置決め部は、
前記内容器の前記肩部に設けられる第１位置決め部と、
前記外容器の前記第２口部に設けられる第２位置決め部と、
を有し、
前記第２位置決め部は、
前記第２口部の端部の略全周に形成されるとともに、前記締め付け方向に向かうに従って前記第２胴部からの距離が減少するように傾斜する第２傾斜面と、
前記第２傾斜面の端部のうち、前記第２口部の周方向における一方の端部を第１端部とし、他方の端部を第２端部として、前記第１端部と前記第２端部に挟まれる位置に形成される第２係合面と、
を有し、
前記第１位置決め部は、
前記肩部の端部の略全周に形成されるとともに、前記内容器が前記外容器に収容された状態で、前記第２傾斜面に組み合わされる第１傾斜面と、
前記肩部の端部に形成され、前記内容器が前記外容器に収容された状態で、前記第２係合面に組み合わされる第１係合面と、
を有する、
二重容器。
【請求項３】
請求項２に記載の二重容器であって、
前記二重容器の中心軸に直交する面を水平面とし、
前記水平面に対する前記第１傾斜面の傾斜角を第１傾斜角とし、
前記水平面に対する前記第２傾斜面の傾斜角を第２傾斜角とし、
前記水平面に対する前記第２雄螺子の傾斜角であるリード角を第２リード角として、
前記第１傾斜角及び前記第２傾斜角は、前記第２リード角と等しい、
二重容器。
【請求項４】
請求項２又は３に記載の二重容器であって、
前記内容器は、前記外容器の前記第２口部に差し込まれる差込部を、
有し、
前記内容器を前記外容器に挿入する方向を挿入方向として、
前記差込部は、前記第１傾斜面のうち最も前記挿入方向側に突出している部分よりも、前記挿入方向側に突出している、
二重容器。
【請求項５】
請求項１から４のいずれか１項に記載の二重容器であって、
前記内容器の内部に配置されるアダプタを更に備え、
前記アダプタは、
前記第１口部に装着され、前記収容空間内に向けて延びる第１アダプタと、
前記収容空間内において、前記第１アダプタの外側に装着される第２アダプタと、
を有し、
前記第１アダプタは、さらに、
前記ポンプを挿入可能であるポンプ挿入口が形成されるとともに、前記ポンプ挿入口から挿入した前記ポンプを収容するポンプ収容空間が内側に形成される第１アダプタ本体と、
前記第１アダプタ本体の端部のうち前記ポンプ挿入口とは反対側の端部に形成され、前記ポンプ収容空間に連通可能である第１吸引口と、
前記ポンプ収容空間と前記第１吸引口を連通させない位置である閉位置から、連通させる位置である開位置に切り替え可能であり、前記ポンプを装着することで前記閉位置から前記開位置に切り替えられる栓と、
第１アダプタ本体の側部に形成され、前記収容空間と前記ポンプ収容空間を連通させる通気孔と、
を有し、
前記第２アダプタは、さらに、
前記第１アダプタ本体の外面のうち、前記通気孔よりも前記第１吸引口側の位置から前記第１吸引口までを覆う第２アダプタ本体と、
前記第２アダプタ本体の端部のうち前記通気孔側の一方の端部から、前記第１アダプタ本体の外面及び前記通気孔を覆うように延びる弁部と、
前記第２アダプタ本体の他方の端部に形成され、前記第１吸引口及び前記パイプに連通する第２吸引口と、
を有する、
二重容器。
【発明の詳細な説明】
【技術分野】
【０００１】
本発明は、内容器、外容器及びポンプを有する二重容器に関する。より詳細には、再利用したポンプ及び外容器を新たな内容器に取り付けて使用する二重容器に関する。
【背景技術】
【０００２】
従来、内容器、外容器及びポンプを有する二重容器は公知である。例えば、特開２０１４−５０７４号公報には、内容器、外容器、ポンプ及び肩カバーを有する二重容器が開示されている。開示されている二重容器は、外容器のみを再利用するタイプの二重容器である。外容器の口部には、雄螺子が形成されている。肩カバーには、外容器の雄螺子に螺合する雌螺子が形成されている。肩カバーは、内容器を外容器に固定している。内容器の肩部、及び外容器の口部には、内容器及び外容器の容器軸回りの相対移動を規制する第１係合凹部及び第１係合突部が形成されている。
【０００３】
特開２０１４−５０７４号公報に開示される二重容器では、外容器のみを再利用し、ポンプの再利用は考慮されていないため、予め内容器にポンプが取り付けられている。ポンプが取り付けられた状態の内容器を外容器に挿入し、肩カバーで内容器と外容器を取り付けている。この順序で取り付ける場合には、内容器及び外容器に形成された第１係合凹部及び第１係合突部によって内容器及び外容器の相対移動が規制され、内容器を外容器に取り付けることができる。
【先行技術文献】
【特許文献】
【０００４】
【特許文献１】特開２０１４−５０７４号公報
【発明の概要】
【発明が解決しようとする課題】
【０００５】
特開２０１４−５０７４号公報に開示される二重容器では、外容器のみを再利用し、ポンプの再利用は考慮されていないが、特開２０１４−５０７４号公報に開示されている二重容器でも、ポンプを再利用することは可能である。具体的には、内容物を使い切った内容器からポンプを外して、ポンプを別の新たな内容器に取り付ける。ポンプが取り付けられた状態の内容器を外容器に挿入し、肩カバーで内容器と外容器を取り付ける。この順序で取り付ける場合には、外容器及びポンプを再利用した上で、内容器、外容器、ポンプ、及び肩カバーを取り付けることができる。
【０００６】
しかしながら、ポンプを再利用する場合において、上記の順序とは異なる順序、例えば、ポンプを取り付けていない状態の内容器を外容器に挿入し、その後でポンプを内容器に挿入し、肩カバーを取り付ける順序で組み立てを行ったとする。この場合、肩カバーとポンプは空回りするため、ポンプを内容器に取り付けることができない。
【０００７】
つまり、特開２０１４−５０７４号公報に開示される二重容器では、ポンプを再利用することは可能ではあるが、内容器、外容器、ポンプ及び肩カバーを所定の順序で取り付ける必要がある。二重容器の使用者は、ポンプの交換に不慣れである場合があり、内容器、外容器、ポンプ及び肩カバーの取り付けが所定の順序通り行われない場合がある。所定の順序通り取り付けが行われない場合、内容器、外容器、ポンプ及び肩カバーを正しく取り付けることができずにガタが生じたり、内容物を吐出できない場合や、内容物が漏れるといった問題が生じるおそれがある。
【０００８】
本発明は、外容器だけでなくポンプを再利用でき、かつ、内容器及び外容器の取り付け順序に制限がなく、ポンプ、内容器及び外容器を容易に取り付けることができる二重容器を提供することを目的とする。
【課題を解決するための手段】
【０００９】
本発明の二重容器は、内容物を収容する内容器と、内容器を収容する外容器と、内容器に収容される内容物を吐出するポンプと、を備える。内容器は、内容物を収容するための収容空間を有する第１胴部と、第１胴部から延びている第１口部と、第１口部の外周面に形成される第１雄螺子と、を有する。外容器は、内容器を収容する第２胴部と、第２胴部から延びている第２口部と、第２口部の外周面に形成される第２雄螺子と、を有する。ポンプは、第１雄螺子に螺合する第１雌螺子、及び第２雄螺子に螺合する第２雌螺子を有するポンプキャップを有する。第１雄螺子に対して第１雌螺子を締め付け、かつ、第２雄螺子に対して第２雌螺子を締め付ける方向を締め付け方向とし、第１雄螺子に対して第１雌螺子を緩め、かつ、第２雄螺子に対して第２雌螺子を緩める方向を開放方向として、外容器及び内容器は、外容器と内容器の締め付け方向における相対移動を、締め付け方向における所定位置で制限するとともに、開放方向の相対移動を許容する位置決め部を有する。
【発明の効果】
【００１０】
本発明の二重容器によれば、位置決め部を有するため、外容器に対する内容器の位置が所定位置で位置決めされ、締め付け方向における内容器の空回りが抑制される。このため、内容器にポンプを取り付けてから、外容器に内容器を収容し、外容器にポンプキャップを取り付けてもよく、内容器にポンプを取り付ける前に、外容器に内容器を収容し、その後で内容器と外容器にポンプキャップを取り付けることもできる。よって、外容器だけでなくポンプを再利用でき、かつ、内容器と外容器とポンプの取り付け順序に制限がなく、いずれの順序で取り付けても内容器、外容器及びポンプを容易に取り付けることができる。
【図面の簡単な説明】
【００１１】
【図１】図１は、本発明の実施形態に係る二重容器の正面半断面図である。
【図２】図２は、内容器の正面断面図である。
【図３】図３は、内容器にポンプを取り付ける前の状態を示す正面断面図である。
【図４】図４は、内容器にポンプを取り付けた状態を示す正面断面図である。
【図５】図５は、外容器の正面図である。
【図６】図６は、外容器に内容器の一部を差し込んだ状態を示す正面図である。
【図７Ａ】図７Ａは、外容器に内容器を差し込んだ状態を示す正面図である。
【図７Ｂ】図７Ｂは、外容器に内容器を差し込んだ状態を示す正面図である。
【図８】図８は、ポンプに内容器を取り付けてから、内容器を外容器に差し込む組み立て手順を示す正面図である。
【図９】図９は、ポンプを操作して内容物を吐出する状態を示す正面断面図である。
【図１０】図１０は、内容物を吐出した後の状態を示す正面断面図である。
【発明を実施するための形態】
【００１２】
本発明の一実施形態にかかる二重容器は、内容物を収容する内容器と、内容器を収容する外容器と、内容器に収容される内容物を吐出するポンプと、を備える。内容器は、内容物を収容するための収容空間を有する第１胴部と、第１胴部から延びている第１口部と、第１口部の外周面に形成される第１雄螺子と、を有する。外容器は、内容器を収容する第２胴部と、第２胴部から延びている第２口部と、第２口部の外周面に形成される第２雄螺子と、を有する。ポンプは、第１雄螺子に螺合する第１雌螺子、及び第２雄螺子に螺合する第２雌螺子を有するポンプキャップを有する。第１雄螺子に対して第１雌螺子を締め付け、かつ、第２雄螺子に対して第２雌螺子を締め付ける方向を締め付け方向とし、第１雄螺子に対して第１雌螺子を緩め、かつ、第２雄螺子に対して第２雌螺子を緩める方向を開放方向として、外容器及び内容器は、外容器と内容器の締め付け方向における相対移動を、締め付け方向における所定位置で制限するとともに、開放方向の相対移動を許容する位置決め部を有する（第１の構成）。
【００１３】
上記構成によれば、位置決め部を有するため、外容器に対する内容器の位置が所定位置で位置決めされ、締め付け方向における内容器の空回りが抑制される。このため、内容器にポンプを取り付けてから、外容器に内容器を収容し、外容器にポンプキャップを取り付けてもよく、内容器にポンプを取り付ける前に、外容器に内容器を収容し、その後で内容器と外容器にポンプキャップを取り付けることもできる。よって、外容器だけでなくポンプを再利用でき、かつ、内容器と外容器とポンプの取り付け順序に制限がなく、いずれの順序で取り付けても内容器、外容器及びポンプを容易に取り付けることができる。
【００１４】
上記第１の構成において、内容器は、外容器に収容された状態で第２口部に対向する肩部を、有する。位置決め部は、内容器の肩部に設けられる第１位置決め部と、外容器の第２口部に設けられる第２位置決め部と、を有する。第２位置決め部は、第２口部の端部の略全周に形成されるとともに、締め付け方向に向かうに従って第２胴部からの距離が減少するように傾斜する第２傾斜面と、第２傾斜面の端部のうち、第２口部の周方向における一方の端部を第１端部とし、他方の端部を第２端部として、第１端部と第２端部に挟まれる位置に形成される第２係合面と、を有する。第１位置決め部は、肩部の端部の略全周に形成されるとともに、内容器が外容器に収容された状態で、第２傾斜面に組み合わされる第１傾斜面と、肩部の端部に形成され、内容器が外容器に収容された状態で、第２係合面に組み合わされる第１係合面と、を有してもよい（第２の構成）。
【００１５】
上記構成によれば、内容器の第１位置決め部は、第１傾斜面及び第１係合面を有し、外容器の第２位置決め部は、第２傾斜面及び第２係合面を有する。外容器と内容器の締め付け方向における相対移動は、第１係合面及び第２係合面が組み合わされるまでは許容され、第１係合面及び第２係合面が組み合わされる所定位置では相対移動が制限される。このため、内容器と外容器とポンプの取り付け順序に制限がなく、いずれの順序で取り付けても内容器、外容器及びポンプは、所定位置まで相対移動可能であり、所定位置で相対移動が制限されることで、内容器と外容器は、正しい位置で位置決めされ、空回りが抑制される。よって、内容器と外容器とポンプをいずれの順序で取り付けても、内容器及び外容器にポンプキャップを締め付けることができる。
【００１６】
上記第２の構成において、二重容器の中心軸に直交する面を水平面とし、水平面に対する第１傾斜面の傾斜角を第１傾斜角とし、水平面に対する第２傾斜面の傾斜角を第２傾斜角とし、水平面に対する第２雄螺子の傾斜角であるリード角を第２リード角とする。第１傾斜角及び第２傾斜角は、第２リード角と等しくしてもよい（第３の構成）。
【００１７】
上記構成によれば、第１傾斜角及び第２傾斜角は、第２リード角と等しい。このため、内容器と外容器にポンプキャップが螺合しながら、内容器及び外容器が相対移動する場合に、第１傾斜面及び第２傾斜面が干渉して相対移動が妨げられることが抑制され、内容器及び外容器が円滑に相対移動する。このため、内容器、外容器及びポンプを円滑に取り付けることができる。
【００１８】
上記第２又は第３のいずれかの構成において、内容器は、外容器の第２口部に差し込まれる差込部を有する。内容器を外容器に挿入する方向を挿入方向として、差込部は、第１傾斜面のうち最も挿入方向側に突出している部分よりも、挿入方向側に突出していてもよい（第４の構成）。
【００１９】
上記構成によれば、差込部は、第１傾斜面のうち最も挿入方向側に突出している部分よりも、挿入方向側に突出している。このため、内容器を外容器に挿入する際に、差込部が外容器の第２口部に差し込まれるため、内容器の位置が外容器に対して安定する。
【００２０】
上記第１から第４のいずれかの構成において、内容器の内部に配置されるアダプタを更に備える。アダプタは、第１口部に装着され、収容空間内に向けて延びる第１アダプタと、収容空間内において、第１アダプタの外側に装着される第２アダプタと、を有する。第１アダプタは、さらに、ポンプを挿入可能であるポンプ挿入口が形成されるとともに、ポンプ挿入口から挿入したポンプを収容するポンプ収容空間が内側に形成される第１アダプタ本体と、第１アダプタ本体の端部のうちポンプ挿入口とは反対側の端部に形成され、ポンプ収容空間に連通可能である第１吸引口と、ポンプ収容空間と第１吸引口を連通させない位置である閉位置から、連通させる位置である開位置に切り替え可能であり、ポンプを装着することで閉位置から開位置に切り替えられる栓と、第１アダプタ本体の側部に形成され、収容空間とポンプ収容空間を連通させる通気孔と、を有する。第２アダプタは、さらに、第１アダプタ本体の外面のうち、通気孔よりも第１吸引口側の位置から第１吸引口までを覆う第２アダプタ本体と、第２アダプタ本体の端部のうち通気孔側の一方の端部から、第１アダプタ本体の外面及び通気孔を覆うように延びる弁部と、第２アダプタ本体の他方の端部に形成され、第１吸引口及びパイプに連通する第２吸引口と、を有してもよい（第５の構成）。
【００２１】
上記構成によれば、アダプタは、第１アダプタ及び第２アダプタを有している。第２アダプタに形成される弁部によって、第１アダプタに形成される通気孔が覆われている。このため、ポンプを取り付ける前の状態、及びポンプを取り付けた状態のいずれの状態でも、通気孔から内容物が漏出することを抑制することができ、ポンプのシリンダ外部に内容物が付着することを抑制することができる。ポンプのシリンダ外部に内容物が付着した場合、ポンプを再利用する場合に内容物が外気に触れるため、変質したり、塵挨や雑菌が付着するおそれがあるが、ポンプのシリンダ外部に内容物が付着することを抑制することができるため、ポンプを付け替えた新たな内容器内の内容物におよぼす悪影響を抑制することができる。
【００２２】
［実施形態］
以下、図面を参照し、本発明の実施形態に係る二重容器３００を詳しく説明する。図中同一または相当部分には同一符号を付してその説明は繰り返さない。なお、説明を分かりやすくするために、以下で参照する図面においては、構成が簡略化または模式化して示されたり、一部の構成部材が省略されたりしている。また、各図に示された構成部材間の寸法比は、必ずしも実際の寸法比を示すものではない。
【００２３】
［全体構成］
まず、二重容器３００の全体構成について説明する。図１は、本発明の実施形態に係る二重容器３００の正面半断面図である。以下の図では、矢印Ｒは二重容器３００の右方向を示し、矢印Ｌは左方向を示す。矢印Ｕは二重容器３００の上方向を示し、矢印Ｄは下方向を示す。
【００２４】
図１に示すように、二重容器３００は、内容器１００、外容器２００、及びポンプ６０を備えている。内容器１００の内部には、例えば液状の化粧料のように流動性を有する内容物が収容される。外容器２００は、内容器１００を収容している。ポンプ６０は、内容器１００、及び外容器２００に取り付けられている。ポンプ６０は、使用者が押下げる操作を行うことにより、内容物を吐出可能である。二重容器３００を使用しない場合は、二重容器３００の上部にオーバーキャップ２０を取り付けることができる。
【００２５】
内容器１００は、第１胴部１４、第１口部１８、第１雄螺子１８１、及びフランジ１９を有している。
【００２６】
第１胴部１４は、内容物を収容するための収容空間１２を有している。第１口部１８は、第１胴部１４から上方に延びている。第１雄螺子１８１は、第１口部１８の外周面に形成されている。フランジ１９は、第１口部１８の下部から第１口部１８の半径方向外側に延びている。フランジ１９には、肩部１９１及び差込部１９２が設けられている。差込部１９２は、筒状であり、下方に向けて延びている。肩部１９１は、差込部１９２の外側に配置されている。肩部１９１は、差込部１９２の略全周に形成されており、下方に向けて延びている。本実施形態では、肩部１９１及び差込部１９２は一体に形成されている。内容器１００の内部には、アダプタ３０が配置されている。
【００２７】
外容器２００は、第２胴部２１４、第２口部２１８、第２雄螺子２８１を有している。第２胴部２１４は、内容器１００を収容している。第２口部２１８は、第２胴部２１４から上方に延びている。第２口部２１８の上部は、内容器１００の肩部１９１の下部に対向している。第２口部２１８の内側には、内容器１００の差込部１９２が差し込まれている。第２雄螺子２８１は、第２口部２１８の外周面に形成されている。
【００２８】
ポンプ６０は、ポンプキャップ６１、シリンダ６２、及びヘッド６３を有している。ポンプキャップ６１の内周面には、第１雌螺子１６４及び第２雌螺子１６５が形成されている。第１雌螺子１６４は、内容器１００の第１雄螺子１８１に螺合している。第２雌螺子１６５は、外容器２００の第２雄螺子２８１に螺合している。シリンダ６２は、ポンプキャップ６１の内側に固定されている。ヘッド６３は、ポンプキャップ６１の上部に配置されている。ヘッド６３は、ポンプキャップ６１に対して上下方向に押動操作が可能である。
【００２９】
二重容器３００は、内容器１００に収容されていた内容物を使い切った後、内容器１００を別の新たな内容器１００に交換可能である。つまり、内容器１００は交換可能なレフィル容器である。外容器２００及びポンプ６０は再利用可能である。内容器１００を交換する場合は、内容物を使い切った空の内容器１００とポンプ６０を外容器２００から取り外し、内容器１００からポンプ６０を取り外す。取り外したポンプ６０は、レフィル容器である別の新たな内容器１００に付け替える。ポンプ６０を取り付けた新たな内容器１００を外容器２００に収容し、ポンプ６０を外容器２００に取り付ける。内容器１００、外容器２００、及びポンプ６０の取り付けは、他の手順で行ってもよい。
【００３０】
［内容器の構成］
図２は、内容器１００の正面断面図である。第１胴部１４の収容空間１２には、内容物Ｍが収容されているものとする。本実施形態の第１胴部１４は、略円筒状であり、側壁部１４１、底壁部１４２、及び天壁部１４３を有している。内容器１００の内部にはアダプタ３０が配置されている。
【００３１】
第１口部１８は、天壁部１４３に連続して形成され、上方に延びている。第１口部１８の内側には、収容空間１２に連通する開口部１６が形成されている。第１口部１８の外周面には、第１雄螺子１８１及び固定用鍔部１８２が形成されている。図２では、第１雄螺子１８１には、仮キャップ５１の雌螺子５１１が螺合している。固定用鍔部１８２は、第１口部１８の上端において鍔状に突出するように形成されている。
【００３２】
第１口部１８の下部からは、フランジ１９が第１口部１８の半径方向外側に延びている。フランジ１９には、肩部１９１及び差込部１９２が設けられている。差込部１９２は、筒状であり、下方に向けて延びている。肩部１９１は、差込部１９２の外側に配置されている。肩部１９１には、位置決め部４００の第１位置決め部４１０が形成されている。差込部１９２は、肩部１９１よりも下方まで延びている。位置決め部４００については後に詳細に説明する。
【００３３】
内容器１００は、合成樹脂素材で形成されている。内容器１００は、例えば、第１口部１８及びフランジ１９を有するプリフォームを射出成形し、プリフォームから中空の第１胴部１４をブロー成形して製造することができる。
【００３４】
アダプタ３０は、第１アダプタ３１、第２アダプタ４１、及びパイプ７０を有している。アダプタ３０は、合成樹脂素材で形成されている。
【００３５】
第１アダプタ３１は、内容器１００の第１口部１８に装着されている。第１アダプタ３１は、第１アダプタ本体３２、第１吸引口３８、栓３９、及び通気孔４０を有している。
【００３６】
第１アダプタ本体３２は、断面円形の筒状体であり、上方から下方に向けて径が小さくなるように形成されている。第１アダプタ本体３２の上部には、ポンプ６０を挿入可能であるポンプ挿入口３４が形成されている。第１アダプタ本体３２の内側には、ポンプ収容空間３６が形成されている。ポンプ収容空間３６は、ポンプ挿入口３４からポンプ６０を挿入した場合にポンプ６０の一部を収容可能である。
【００３７】
第１アダプタ本体３２の上端の外周部には、フランジ３２４が形成されている。フランジ３２４の外周部には、第１口部１８の固定用鍔部１８２に係合する係合部３２５が形成されている。固定用鍔部１８２に係合部３２５が係合することにより、第１アダプタ３１は、内容器１００の第１口部１８に固定されている。
【００３８】
第１吸引口３８は、第１アダプタ本体３２の底部に形成されている。第１吸引口３８は、第１アダプタ本体３２の底部を上下方向に貫通する円形の孔である。第１吸引口３８の周囲には、第１吸引口３８の中心方向に突出する第１突出部３８１が形成されている。
【００３９】
栓３９は、第１アダプタ本体３２の下部に配置されている。栓３９は、第１吸引口３８に差し込まれた状態で配置されている。栓３９は、第１吸引口３８に対して上下方向に移動可能である。栓３９は、栓本体３９１、底部３９３、第３吸引口３９４を有している。
【００４０】
栓本体３９１は、筒状の側部３９２を有している。筒状の側部３９２の内側には挿通空間３９５が形成されている。栓本体３９１は、第１吸引口３８に差し込まれている。栓本体３９１の上部には、側部３９２の径方向外側に突出する支持突起３９６が形成されている。支持突起３９６は、第１吸引口３８よりも外側に延びている。
【００４１】
側部３９２の上下方向の中央部には、第３吸引口３９４が複数形成されている。第３吸引口３９４は、側部３９２を貫通する孔である。第３吸引口３９４は、側部３９２の周方向に間隔を空けて形成されている。側部３９２の上下方向の中央部における外径は、第１吸引口３８よりもやや小さく設定されている。
【００４２】
側部３９２の下部には、閉塞部３９８が形成されている。閉塞部３９８は、第１吸引口３８に嵌め込まれると、第１吸引口３８の内面に密着して第１吸引口３８を塞ぐような形状に形成されている。
【００４３】
底部３９３は、栓本体３９１の下部に形成されている。底部３９３の外径は、第１吸引口３８の内径よりも大きい。
【００４４】
図２では、閉塞部３９８が、第１吸引口３８に嵌め込まれた状態となっている。この状態を、栓３９が閉位置Ｐ１にある状態とする。栓３９が閉位置Ｐ１にある状態では、第１吸引口３８は、栓３９によって塞がれている。言い換えると、第１吸引口３８は、ポンプ収容空間３６に連通していない。
【００４５】
ここで、図４を参照して、栓３９が閉位置Ｐ１から下方に移動した状態を、栓３９が開位置Ｐ２にある状態とする。栓３９が開位置Ｐ２にある状態では、第１吸引口３８は、第３吸引口３９４及び挿通空間３９５を介してポンプ収容空間３６に連通している。開位置Ｐ２では、支持突起３９６の下部が第１突出部３８１の上部に接触し、栓３９が第１吸引口３８から抜け落ちることを防止している。
【００４６】
図２に戻って、第１アダプタ本体３２の下部の内面において、第１突出部３８１の上方には、第３筒状部３２３の内部に突出するシール部３８２が形成されている。シール部３８２は、第１アダプタ本体３２の内周面に沿って環状に形成されている。
【００４７】
通気孔４０は、第１アダプタ本体３２の上部の側部に形成されている。通気孔４０は、天壁部１４３よりも下方に位置しており、収容空間１２内に位置している。通気孔４０は、貫通孔であり、収容空間１２とポンプ収容空間３６を連通させる。
【００４８】
第２アダプタ４１は、収容空間１２内において、第１アダプタ３１の外側に装着されている。第２アダプタ４１は、合成樹脂素材で形成されている。第２アダプタ４１は、第２アダプタ本体４２、弁部４４、及び第２吸引口４６を有している。
【００４９】
第２アダプタ本体４２は、断面円形の筒状体である。第２アダプタ本体４２は、第１アダプタ本体３２の外面のうち、通気孔４０よりも下方の位置から第１吸引口３８までを覆っている。
【００５０】
弁部４４は、第２アダプタ本体４２の上端から上方に向けて延びている。言い換えると、弁部４４は、第２アダプタ本体４２の端部のうち通気孔４０側の端部から、第１アダプタ本体３２の外面及び通気孔４０を覆うように延びている。弁部４４は、断面円形の筒状体である。弁部４４は、第２アダプタ本体４２の肉厚よりも薄く形成されている。弁部４４の上端は、自由端になっている。このため、弁部４４は、第１アダプタ本体３２に接触して通気孔４０を覆うような閉じた状態と、上部が第１アダプタ本体３２から離れて通気孔４０を開放する開いた状態とに変形可能である。以下では、弁部４４が閉じた状態を閉塞状態Ｓ１とし、弁部４４が開いた状態を開放状態Ｓ２とする。図２では、弁部４４は、閉塞状態Ｓ１になっている。
【００５１】
弁部４４は、通気孔４０を開閉する逆止弁として動作する。弁部４４は、ポンプ収容空間３６から収容空間１２に向かう方向には外気の導入を可能とし、収容空間１２からポンプ収容空間３６に向かう方向には内容物Ｍの漏出を抑制する。弁部４４の動作については後述する。
【００５２】
第２アダプタ４１の素材として、柔軟性を有する合成樹脂素材を用いることが好ましい。弁部４４が柔軟性を有することで、逆止弁として動作しやすくなる。柔軟性を有する合成樹脂素材として、例えば、オレフィン系樹脂を用いることができる。
【００５３】
弁部４４は、第１突条４８及び第２突条４９を有している。第１突条４８は、通気孔４０よりも上方において、弁部４４の内周に形成されている。第１突条４８は、閉塞状態Ｓ１では第１アダプタ本体３２の外面に接触している。第２突条４９は、通気孔４０よりも下方において、弁部４４の内周に形成されている。第２突条４９も、閉塞状態Ｓ１では第１アダプタ本体３２の外面に接触している。閉塞状態Ｓ１で第１突条４８及び第２突条４９が第１アダプタ本体３２の外面に接触することにより、閉塞状態Ｓ１での気密性が高められている。
【００５４】
第２吸引口４６は、第２アダプタ本体４２の下端部に形成されている。第２吸引口４６は、第１吸引口３８と収容空間１２を連通させることが可能な円形の貫通孔である。第２吸引口４６の周囲には、下方に向けてパイプ支持部４６１が延びている。パイプ支持部４６１は、筒状であり、第２吸引口４６に連通している。
【００５５】
パイプ７０は、収容空間１２内に配置され、パイプ支持部４６１に支持されている。パイプ７０は、第２吸引口４６から収容空間１２の下部に向けて延びている。パイプ７０は、第２吸引口４６、第１吸引口３８、第３吸引口３９４、及び挿通空間３９５を介してポンプ収容空間３６に連通している。
【００５６】
図３は、内容器１００にポンプ６０を取り付ける前の状態を示す正面断面図である。図３では、内容器１００の仮キャップ５１は取り外されている。仮キャップ５１が取り外されている状態で内容器１００を転倒させたとしても、内容器１００の栓３９は閉位置Ｐ１の状態にあり、弁部４４は閉塞状態Ｓ１の状態にある。このため、内容物Ｍが内容器１００の外部に流出することが防止されている。
【００５７】
ポンプ６０は、ポンプキャップ６１、シリンダ６２、及びヘッド６３を有している。ポンプキャップ６１は、第１筒部６１１、第２筒部６１２、キャップ天部６１３、内壁６１４を有している。第１筒部６１１は、第２筒部６１２よりも小径である。第１筒部６１１の内径は、内容器１００の第１口部１８の外径よりもやや大きい。第２筒部６１２の内径は、外容器２００の第２口部２１８の外径よりもやや大きい（図１参照）。キャップ天部６１３は、第１筒部６１１の下部と第２筒部６１２の上部に連続している。内壁６１４は、第１筒部６１１の内側の上部に形成されている。キャップ天部６１３の下部には、リブ６１６が形成されている。リブ６１６は下方に突出している。リブ６１６は、下面視で円状に形成されており、キャップ天部６１３の全周に渡って形成されている。ポンプ６０を内容器１００に取り付けた状態では、リブ６１６は、内容器１００のフランジ１９の上面に接触する。
【００５８】
ポンプキャップ６１の内周面には、第１雌螺子１６４及び第２雌螺子１６５が形成されている。第１雌螺子１６４は、内容器１００の雄螺子１８１に螺合する。第２雌螺子１６５は、外容器２００の第２雄螺子２８１に螺合する（図１参照）。図３において、内容器１００の中心軸を中心軸Ｌ１とする。内容器１００の第１雄螺子１８１に対してポンプキャップ６１の第１雌螺子１６４を締め付ける方向を、中心軸Ｌ１回りの締め付け方向Ｄ１とする。また、内容器１００の第１雄螺子１８１に対してポンプキャップ６１の第１雌螺子１６４を緩める方向を、中心軸Ｌ１回りの開放方向Ｄ２とする。
【００５９】
シリンダ６２は、ポンプキャップ６１の内壁６１４の下方に固定されている。シリンダ６２の上部にはシリンダフランジ６２５が形成されている。シリンダフランジ６２５の下部にはシリンダパッキン６２６が配置されている。ポンプ６０を内容器１００に取り付けた状態では、シリンダパッキン６２６が内容器１００の第１口部１８の上端、より正確には、内容器１００の第１口部１８に取り付けられた第１アダプタ本体３２のフランジ３２４に接触して気密性を確保する。
【００６０】
シリンダ６２の側部には、外気導入孔６７が形成されている。外気導入孔６７は、外気を内容器１００内に導入して内容器１００内の負圧化を解消するための孔である。内容器１００内が負圧化すると、ポンプ６０による内容物Ｍの吐出量が減少する場合や、内容物Ｍを吐出できなくなる場合がある。外気導入孔６７は、ポンプ６０を作動させる際に開閉して外気を内容器１００内に導入し、内容器１００内の負圧化を解消する。
【００６１】
ヘッド６３は、ポンプキャップ６１の内壁６１４の上方に配置されている。ヘッド６３は、ノズル６３１、ステム軸６３２などを備える。ステム軸６３２は、ポンプキャップ６１の内壁６１４に形成された開口部を貫通している。ヘッド６３を押下げる操作を行うことにより、ノズル６３１から内容物を吐出可能である。
【００６２】
シリンダ６２の下端には、ポンプ吸引口６６が形成されている。シリンダ６２の内部には、ステム弁６２１、ピストン弁６２２、ボール６２３、スプリング６２４などが配置されている。シリンダ６２の内部の構造については従来のポンプと同様の構造であるため、詳細な説明は省略する。
【００６３】
図４は、内容器１００にポンプ６０を取り付けた状態を示す正面断面図である。図４に示すように、ポンプキャップ６１の第１雌螺子１６４が、内容器１００の第１雄螺子１８１に螺合することで、ポンプ６０は、内容器１００に取り付けられている。アダプタ３０のポンプ収容空間３６には、ポンプ６０のシリンダ６２が収容されている。
【００６４】
アダプタ３０のポンプ収容空間３６にポンプ６０のシリンダ６２を挿入すると、シリンダ６２の下端が栓３９を下方に移動させる。図４では、栓３９は、シリンダ６２を挿入する前の閉位置Ｐ１（図２参照）から、開位置Ｐ２に移動している。つまり、内容器１００にポンプ６０を装着することで、栓３９は、閉位置Ｐ１から開位置Ｐ２に切り替えられる。栓３９が開位置Ｐ２に切り替えられることにより、ポンプ吸引口６６は、挿通空間３９５、第３吸引口３９４、第１吸引口３８、第２吸引口４６、及びパイプ７０を介して収容空間１２に連通した状態となる。
【００６５】
また、アダプタ３０のポンプ収容空間３６にポンプ６０のシリンダ６２を挿入すると、シリンダ６２の下部の外周面と、第１アダプタ３１の下部に形成したシール部３８２が密着する。シリンダ６２とシール部３８２が密着することにより、内容物がシリンダ６２と第１アダプタ３１の間に浸入することが抑制され、シリンダ６２の外部に内容物が付着することを抑制することができる。
【００６６】
図４では、弁部４４は、閉塞状態Ｓ１にあり、収容空間１２から通気孔４０を通じてポンプ収容空間３６に内容物Ｍが漏出することを抑制する。このため、ポンプ６０のシリンダ６２外部に内容物Ｍが付着することを抑制することができる。
【００６７】
［外容器の構成］
図５は、外容器２００の正面図である。本実施形態の外容器２００の第２胴部２１４は、略円筒状であり、側壁部２４１、及び底壁部２４２を有している。第２胴部２１４は、内部に内容器１００を収容するための空間が形成されている。
【００６８】
第２口部２１８は、側壁部２４１の上部に連続して形成され、上方に延びている。第２口部２１８の外周面には、第２雄螺子２８１が形成されている。図５において、外容器２００の中心軸を中心軸Ｌ２とする。外容器２００に内容器１００を収容した状態では、外容器２００の中心軸Ｌ２は、内容器１００の中心軸Ｌ１と重なるものとする。図５において、外容器２００の第２雄螺子２８１に対してポンプキャップ６１の第２雌螺子１６５を締め付ける方向を、中心軸Ｌ２回りの締め付け方向Ｄ１とする。また、外容器２００の第２雄螺子２８１に対してポンプキャップ６１の第２雌螺子１６５を緩める方向を、中心軸Ｌ２回りの開放方向Ｄ２とする。図５の締め付け方向Ｄ１は、図３の締め付け方向Ｄ１と一致しており、図５の開放方向Ｄ２は、図３の開放方向Ｄ２と一致している。
【００６９】
第２口部２１８の上部には、位置決め部４００の第２位置決め部４２０が形成されている。位置決め部４００については、後に詳細に説明する。
【００７０】
外容器２００は、合成樹脂素材で形成されている。外容器２００は、例えば、射出成形法で製造することができる。外容器２００は、需要者の好みに適合するよう、種々のデザインを採用することができる。
【００７１】
［位置決め部の構成］
図６は、外容器２００に内容器１００の一部を差し込んだ状態を示す正面図である。図６において、内容器１００の中心軸Ｌ１と外容器２００の中心軸Ｌ２が重なる線を中心軸Ｌ３とする。図６において、内容器１００の第１雄螺子１８１に対してポンプキャップ６１の第１雌螺子１６４を締め付け、かつ、外容器２００の第２雄螺子２８１に対してポンプキャップ６１の第２雌螺子１６５を締め付ける方向を、中心軸Ｌ３回りの締め付け方向Ｄ１とする。また、内容器１００の第１雄螺子１８１に対してポンプキャップ６１の第１雌螺子１６４を緩め、かつ、外容器２００の第２雄螺子２８１に対してポンプキャップ６１の第２雌螺子１６５を緩める方向を、中心軸Ｌ３回りの開放方向Ｄ２とする。
【００７２】
外容器２００及び内容器１００には、位置決め部４００が設けられている。位置決め部４００は、第１位置決め部４１０、及び、第２位置決め部４２０を有する。第１位置決め部４１０は、内容器１００の肩部１９１に設けられている。第２位置決め部４２０は、外容器２００の第２口部２１８に設けられている。位置決め部４００は、外容器２００と内容器１００の締め付け方向Ｄ１における相対移動を、締め付け方向Ｄ１における所定位置で制限する。また、位置決め部４００は、外容器２００と内容器１００の開放方向Ｄ２における相対移動は許容する。
【００７３】
外容器２００に設けられる第２位置決め部４２０は、第２傾斜面４２２、及び第２係合面４２４を有している。第２傾斜面４２２は、第２口部２１８の上端部の略全周に形成されている。第２傾斜面４２２は、締め付け方向Ｄ１に向かうに従って第２胴部２１４からの距離ＨＡが減少するように傾斜している。つまり、第２傾斜面４２２は、第２口部２１８の上端部の略全周において、締め付け方向Ｄ１に向かうに従って第２口部２１８の上端部が低くなる、螺旋状に形成されている。
【００７４】
第２傾斜面４２２の端部のうち、第２口部２１８の周方向における一方の端部を第１端部ＴＥ１とし、他方の端部を第２端部ＴＥ２とする。第１端部ＴＥ１は、第２端部ＴＥ２よりも上方に位置している。第２係合面４２４は、第１端部ＴＥ１と第２端部ＴＥ２に挟まれる位置に形成されている。つまり、第１端部ＴＥ１と第２端部ＴＥ２の間は、第２係合面４２４が形成されて段状になっている。第２係合面４２４は、側面視で垂直方向に形成されているが、傾斜していてもよい。
【００７５】
二重容器３００の中心軸である中心軸Ｌ３に直交する面を水平面Ｈ１とする。水平面Ｈ１に対する第２傾斜面４２２の傾斜角を第２傾斜角Ａ２とする。また、水平面Ｈ１に対する第２雄螺子２８１の傾斜角であるリード角を第２リード角Ｂ２とする。第２傾斜角Ａ２は、第２リード角Ｂ２と等しい角度とすることが好ましい。
【００７６】
内容器１００の肩部１９１に設けられている第１位置決め部４１０は、第１傾斜面４１２、及び第１係合面４１４を有している。第１傾斜面４１２は、肩部１９１の下端部の略全周に形成されている。第１傾斜面４１２は、内容器１００が外容器２００に収容された状態で、第２傾斜面４２２に組み合わされる形状を有している。つまり、第１傾斜面４１２は、肩部１９１の下端部の略全周において、締め付け方向Ｄ１に向かうに従って肩部１９１の下端部が低くなる、螺旋状に形成されている。
【００７７】
第１傾斜面４１２の端部のうち、肩部１９１の周方向における一方の端部を第３端部ＴＥ３とし、他方の端部を第４端部ＴＥ４とする。第４端部ＴＥ４は、第３端部ＴＥ３よりも下方に位置している。第１係合面４１４は、肩部１９１の下端部に形成され、第３端部ＴＥ３と第４端部ＴＥ４に挟まれる位置に形成されている。第１係合面４１４は、内容器１００が外容器２００に収容された状態で、第２係合面４２４に組み合わされる形状を有している。つまり、第３端部ＴＥ３と第４端部ＴＥ４の間は、第１係合面４１４が形成されて段状になっている。第１係合面４１４は、側面視で垂直方向に形成されているが、傾斜していてもよい。
【００７８】
水平面Ｈ１に対する第１傾斜面４１２の傾斜角を第１傾斜角Ａ１とすると、第１傾斜角Ａ１は、第２リード角Ｂ２と等しい角度とすることが好ましい。
【００７９】
内容器１００の第１口部１８の外径と、外容器２００の第２口部２１８の外径は異なっているため、内容器１００の第１雄螺子１８１の径と、外容器２００の第２雄螺子２８１の径も異なっている。しかしながら、本実施形態では、内容器１００と外容器２００にポンプ６０を同時に取り付けることができるように、第１雄螺子１８１及び第２雄螺子２８１が設定されている。具体的には、第１雄螺子１８１のリードを第１リードとし、第２雄螺子２８１のリードを第２リードとすると、第１リードと第２リードは同一に設定されている。ここで、リードは、ネジが一回転して軸方向に進む距離である。
【００８０】
内容器１００の第１雄螺子１８１、外容器２００の第２雄螺子２８１、及びポンプキャップ６１の第１雌螺子１６４と第２雄螺子２８１は、内容器１００の第１位置決め部４１０と、外容器２００の第２位置決め部４２０が組み合わされた状態で、ポンプキャップ６１を所定の角度回転させることで、内容器１００に対してポンプキャップ６１の締め付けが完了し、かつ、外容器２００に対してポンプキャップ６１の締め付けが完了するように設定されている。
【００８１】
内容器１００は、外容器２００の第２口部２１８に差し込まれる差込部１９２を有している。内容器１００を外容器２００に挿入する方向を挿入方向ＴＤ１とする。図６では、挿入方向ＴＤ１は、下方向Ｄと一致している。第１傾斜面４１２のうち最も挿入方向ＴＤ１側に突出している部分は、第４端部ＴＥ４である。差込部１９２は、第４端部ＴＥ４よりも挿入方向ＴＤ１側に突出している。つまり、図６において、差込部１９２は、第４端部ＴＥ４よりも距離ＨＢだけ挿入方向ＴＤ１側に突出している。言い換えると、差込部１９２の下端部は、第１傾斜面４１２の下端部である第４端部ＴＥ４よりも距離ＨＢだけ下方に位置している。このため、内容器１００及び外容器２００の中心軸Ｌ３回りにおける相対位置がどのような状態であっても、内容器１００を外容器２００に挿入する際には、内容器１００の第１位置決め部４１０と外容器２００の第２位置決め部４２０とが当接するより先に、差込部１９２が外容器２００の第２口部２１８に差し込まれる。例えば、内容器１００の第４端部ＴＥ４と、外容器２００の第１端部ＴＥ１とが上下方向に対向する状態で、内容器１００を外容器２００に挿入しても（図７Ｂ参照）、差込部１９２が外容器２００の第２口部２１８に差し込まれる。このため、内容器１００の位置が外容器２００に対して安定し、内容器１００を外容器２００に容易に挿入することができる。
【００８２】
図７Ａ、及び図７Ｂは、外容器２００に内容器１００を差し込んだ状態を示す正面図である。図７Ａでは、内容器１００の第１位置決め部４１０と、外容器２００の第２位置決め部４２０が組み合わされた状態になっている。図７Ｂでは、内容器１００の第１位置決め部４１０と、外容器２００の第２位置決め部４２０が組み合わされておらず、第１傾斜面４１２の第４端部ＴＥ４が、第２傾斜面４２２上に載った状態となっている。
【００８３】
図７Ａに示すように、内容器１００の第１位置決め部４１０と、外容器２００の第２位置決め部４２０が組み合わされた状態では、内容器１００及び外容器２００の中心軸Ｌ３回りにおける相対位置が位置決めされ、外容器２００に対する内容器１００の締め付け方向Ｄ１における空回りが抑制される。このため、ポンプ６０を取り付ける際に、外容器２００に対する内容器１００の空回りが抑制される。具体的には、ポンプキャップ６１を内容器１００及び外容器２００に対して締め付け方向Ｄ１に回転させた場合に、外容器２００に対する内容器１００の空回りが抑制されるため、ポンプキャップ６１の第１雌螺子１６４を内容器１００の第１雄螺子１８１に螺合させることができ、同時に、第２雌螺子１６５を外容器２００の第２雄螺子２８１に螺合させることができる（図１参照）。
【００８４】
ポンプキャップ６１を内容器１００及び外容器２００に締め付けた状態では、シリンダパッキン６２６が内容器１００の第１口部１８の上端（より正確には、第１アダプタ本体３２のフランジ３２４）に接触して気密性が確保される。また、ポンプキャップ６１のリブ６１６が、内容器１００のフランジ１９の上面に接触するとともに、ポンプキャップ６１の第２雌螺子１６５が、外容器２００の第２雄螺子２８１に螺合することで、内容器１００、外容器２００、及びポンプ６０が確実に取り付けられる。
【００８５】
一方、外容器２００に内容器１００を差し込んだ際に、第１位置決め部４１０と第２位置決め部４２０の中心軸Ｌ３回りの位置関係が、図７Ａのような位置関係にならない場合がある。具体的には、図７Ｂに示すように、第１係合面４１４及び第２係合面４２４が対向した状態ではなく、第１傾斜面４１２の第４端部ＴＥ４が、第２傾斜面４２２上に載った状態になる場合がある。
【００８６】
図７Ｂに示した状態では、外容器２００に対する内容器１００の位置は位置決めされておらず、外容器２００に対して内容器１００が締め付け方向Ｄ１に空回りすることが許容される。この状態で、ポンプ６０を取り付けることにより、ポンプキャップ６１の第１雌螺子１６４と内容器１００の第１雄螺子１８１との間の摩擦によって内容器１００が外容器２００に対して締め付け方向Ｄ１に空回りする。言い換えると、第１傾斜面４１２の第４端部ＴＥ４が、第２傾斜面４２２上を滑りながら締め付け方向Ｄ１へ移動する。
【００８７】
ポンプキャップ６１の回転に伴って内容器１００が外容器２００に対して空回りしていくと、第１位置決め部４１０と第２位置決め部４２０が図７Ａのように組み合わされた状態になる。この状態では、外容器２００に対する内容器１００の締め付け方向Ｄ１における位置が位置決めされ、締め付け方向Ｄ１における内容器１００の空回りが抑制される。
【００８８】
つまり、外容器２００に内容器１００を差し込んだ際における、第１位置決め部４１０と第２位置決め部４２０の相対位置に関わらず、ポンプキャップ６１を締め付け方向Ｄ１に回転させることで、内容器１００と外容器２００は第１位置決め部４１０と第２位置決め部４２０が組み合わされる状態になる。第１位置決め部４１０と第２位置決め部４２０が組み合わされる状態になると、締め付け方向Ｄ１における内容器１００と外容器２００の空回りが抑制され、内容器１００及び外容器２００に対して同時にポンプ６０を取り付けることができる。
【００８９】
図８は、ポンプ６０に内容器１００を取り付けてから、内容器１００を外容器２００に差し込む組み立て手順を示す正面図である。図６、図７Ａ及び図７Ｂでは、内容器１００を外容器２００に差し込み、内容器１００及び外容器２００に同時にポンプ６０を取り付ける組み立て手順を示した。図８では、内容器１００を外容器２００に差し込む前に、先に内容器１００にポンプ６０を取り付けている。
【００９０】
この手順の場合でも、内容器１００を外容器２００に差し込んだ際の第１位置決め部４１０と第２位置決め部４２０の位置に関わらず、ポンプキャップ６１を回転させることで、内容器１００と外容器２００は第１位置決め部４１０と第２位置決め部４２０が組み合わされる状態となり、内容器１００、外容器２００、及びポンプ６０を取り付けることができる。
【００９１】
尚、ポンプ６０に内容器１００を取り付けてから、内容器１００を外容器２００に差し込む組み立て手順の場合、ポンプ６０と内容器１００がしっかりと取り付けられている場合と、ポンプ６０と内容器１００が緩く取り付けられている場合がある。しっかりと取り付けられている場合とは、内容器１００の第１雄螺子１８１に対するポンプキャップ６１の第１雌螺子１６４の締め付けが完了している状態であり、シリンダパッキン６２６が内容器１００の第１口部１８の上端に接触して気密性が確保されている状態である。また、緩く取り付けられている場合とは、内容器１００の第１雄螺子１８１に対するポンプキャップ６１の第１雌螺子１６４の締め付けが完了しておらず、ポンプキャップ６１を内容器１００に対して更に締め付けることが可能な状態である。
【００９２】
ポンプ６０と内容器１００がしっかりと取り付けられている場合には、内容器１００を外容器２００に差し込んでポンプ６０を外容器２００に対して締め付け方向Ｄ１に回転させることで、ポンプ６０と外容器２００の締め付けが完了する位置まで内容器１００と外容器２００が相対回転する。内容器１００の第１位置決め部４１０と外容器２００の第２位置決め部４２０が組み合わされたところで、ポンプキャップ６１の第２雌螺子１６５と外容器２００の第２雄螺子２８１との螺合が完了し、ポンプ６０と外容器２００の締め付けが完了する。
【００９３】
ポンプ６０と内容器１００が緩く取り付けられている場合には、内容器１００を外容器２００に差し込んでポンプ６０を外容器２００に対して締め付け方向Ｄ１に回転させることで、内容器１００と外容器２００が相対回転する。内容器１００の第１位置決め部４１０と外容器２００の第２位置決め部４２０が組み合わされたところで、さらにポンプ６０と内容器１００の締め付けが完了する位置までポンプ６０と内容器１００の締め付けが進行し、同時に、ポンプ６０と外容器２００の締め付けが完了する位置までポンプ６０と外容器２００の締め付けが進行する。このため、ポンプ６０と内容器１００が緩く取り付けられている場合には、内容器１００に対するポンプ６０の締め付けと、外容器２００に対するポンプ６０の締め付けが同時に完了する。
【００９４】
二重容器３００は、内容器１００に収容されていた内容物を使い切った後、内容器１００を別の新たな内容器１００に交換可能である。内容器１００を交換する場合は、外容器２００に対してポンプ６０を開放方向Ｄ２に回転させる。内容器１００の第１位置決め部４１０と外容器２００の第２位置決め部４２０は、外容器２００と内容器１００の開放方向Ｄ２における相対移動は許容する。このため、ポンプ６０及び内容器１００は、外容器２００に対して開放方向Ｄ２に回転可能である。外容器２００の第２雄螺子２８１に対してポンプキャップ６１の第２雌螺子１６５を緩めて、内容物を使い切った空の内容器１００とポンプ６０を外容器２００から取り外す。次に、内容器１００の第１雄螺子１８１に対してポンプキャップ６１の第１雌螺子１６４を緩めて、内容器１００からポンプ６０を取り外す。取り外したポンプ６０は、レフィル容器である別の新たな内容器１００に付け替える。このような手順により、外容器２００及びポンプ６０を再利用することができる。
【００９５】
［弁部の動作］
次に、ポンプ６０の吐出動作と吸引動作（ポンピング動作）、及び弁部４４の動作について説明する。図９は、ポンプを操作して内容物を吐出する状態を示す正面断面図である。図１０は、内容物を吐出した後の状態を示す正面断面図である。尚、ヘッド６３が押圧されていない状態において、シリンダ６２の内部には、すでに内容物Ｍが吸引されているものとする。
【００９６】
図９に示すように、ヘッド６３を押下げると、シリンダ６２の内部に吸引されていた内容物Ｍがノズル６３１から吐出される。ヘッド６３が押下げられると、シリンダ６２の側部に形成された外気導入孔６７が開き、外気がアダプタ３０のポンプ収容空間３６に導入される。このとき、弁部４４は、閉塞状態Ｓ１になっており、アダプタ３０の通気孔４０は弁部４４によって塞がれている。このため、ポンプ収容空間３６に導入された外気は、内容器１００内部の収容空間１２には導入されない。
【００９７】
図１０に示すように、ヘッド６３を押下げた状態から解放すると、ヘッド６３は、スプリング６２４の付勢力により上昇する。シリンダ６２内部は負圧となり、内容物Ｍは、パイプ７０の下端からシリンダ６２の内部に吸引される。
【００９８】
上述のようなポンピング動作を繰り返すことにより、内容器１００に収容されていた内容物Ｍはノズル６３１から吐出されて減少する。内容物Ｍが減少すると収容空間１２の気圧が低下する。収容空間１２とポンプ収容空間３６との間に気圧差が生じると、気圧差によって弁部４４が一時的に閉塞状態Ｓ１から開放状態Ｓ２に変化する。弁部４４が開放状態Ｓ２になるとアダプタ３０の通気孔４０は開放され、矢印Ｂのようにポンプ収容空間３６から収容空間１２に外気が導入されて、収容空間１２とポンプ収容空間３６との間の気圧差が解消される。つまり、収容空間１２内部の負圧化が解消される。
【００９９】
弁部４４は、一時的に開放状態Ｓ２に変化して、ポンプ収容空間３６から収容空間１２に外気を導入する場合の他は、閉塞状態Ｓ１になっている。このため、収容空間１２からポンプ収容空間３６に内容物Ｍが漏出することを抑制し、ポンプ６０のシリンダ６２外部に内容物Ｍが付着することを抑制することができる。
【０１００】
内容器１００に収容された内容物Ｍを使い切った場合は、ポンプ６０を新たなレフィル容器１１０に付け替えて、ポンプ６０を再利用することができる。ポンプ６０のシリンダ６２外部には、内容物Ｍが付着していないため、ポンプ６０を衛生的に再利用することができる。また、ポンプ６０を付け替える際にパイプ７０を抜き差しする必要がなく、かつ、アダプタ３０のポンプ挿入口３４が広く形成されているため、再利用したポンプ６０を新たな内容器１００に容易に取り付けることができる。
【０１０１】
［実施形態の効果］
二重容器３００によれば、位置決め部４００を有するため、外容器２００に対する内容器１００の位置が所定位置で位置決めされ、締め付け方向Ｄ１における内容器１００の空回りが抑制される。このため、内容器１００にポンプ６０を取り付けてから、外容器２００に内容器１００を収容し、外容器２００にポンプキャップ６１を取り付けてもよく、内容器１００にポンプ６０を取り付ける前に、外容器２００に内容器１００を収容し、その後で内容器１００と外容器２００にポンプキャップ６１を取り付けることもできる。よって、外容器２００だけでなくポンプ６０を再利用でき、かつ、内容器１００と外容器２００とポンプ６０の取り付け順序に制限がなく、いずれの順序で取り付けても内容器１００、外容器２００及びポンプ６０を容易に取り付けることができる。
【０１０２】
二重容器３００によれば、内容器１００の第１位置決め部４１０は、第１傾斜面４１２及び第１係合面４１４を有し、外容器２００の第２位置決め部４２０は、第２傾斜面４２２及び第２係合面４２４を有する。外容器２００と内容器１００の締め付け方向Ｄ１における相対移動は、第１係合面４１４及び第２係合面４２４が組み合わされるまでは許容され、第１係合面４１４及び第２係合面４２４が組み合わされる所定位置では相対移動が制限される。このため、内容器１００と外容器２００とポンプ６０の取り付け順序に制限がなく、いずれの順序で取り付けても内容器１００、外容器２００及びポンプ６０は、所定位置まで相対移動可能であり、所定位置で相対移動が制限されることで、内容器１００と外容器２００は、正しい位置で位置決めされ、空回りが抑制される。よって、内容器１００と外容器２００とポンプ６０をいずれの順序で取り付けても、内容器１００及び外容器２００にポンプキャップ６１を締め付けることができる。
【０１０３】
二重容器３００によれば、第１傾斜角Ａ１及び第２傾斜角Ａ２は、第２リード角Ｂ２と等しい。このため、内容器１００と外容器２００にポンプキャップ６１が螺合しながら、内容器１００及び外容器２００が相対移動する場合に、第１傾斜面４１２及び第２傾斜面４２２が干渉することが抑制され、内容器１００及び外容器２００が円滑に相対移動する。このため、内容器１００、外容器２００及びポンプ６０を円滑に取り付けることができる。
【０１０４】
二重容器３００によれば、差込部１９２は、第１傾斜面４１２のうち最も挿入方向ＴＤ１側に突出している部分である第３端部ＴＥ３よりも、挿入方向ＴＤ１側に突出している。このため、内容器１００を外容器２００に挿入する際に、差込部１９２が外容器２００の第２口部２１８に差し込まれるため、内容器１００の位置が外容器２００に対して安定する。
【０１０５】
二重容器３００によれば、アダプタ３０は、第１アダプタ３１及び第２アダプタ４１を有している。第２アダプタ４１に形成される弁部４４によって、第１アダプタ３１に形成される通気孔４０が覆われている。このため、ポンプ６０を取り付ける前の状態、及びポンプ６０を取り付けた状態のいずれの状態でも、通気孔４０から内容物Ｍが漏出することを抑制することができ、ポンプ６０のシリンダ６２外部に内容物Ｍが付着することを抑制することができる。ポンプ６０のシリンダ６２外部に内容物Ｍが付着した場合、ポンプ６０を再利用する場合に内容物Ｍが外気に触れるため、変質したり、塵挨や雑菌が付着するおそれがあるが、ポンプ６０のシリンダ６２外部に内容物Ｍが付着することを抑制することができるため、ポンプ６０を付け替えた新たな内容器１００内の内容物Ｍにおよぼす悪影響を抑制することができる。
【０１０６】
［変形例］
本発明に係る二重容器は、上記説明した本実施形態に限定されない。例えば、本実施形態では、内容器１００の内部にアダプタ３０を設けたが、アダプタを設けなくても、ポンプ、内容器及び外容器を容易に取り付けることのできる二重容器とすることができる。
【０１０７】
本実施形態では、内容器１００のフランジ１９は、第１口部１８の下部に対して一体に形成されているが、一体でなくてもよい。例えば、フランジ１９を別部材として、第１口部１８の下部に取り付けてもよい。この場合、第１口部１８に対してフランジ１９が相対的に回転しないようにする。
【０１０８】
以上、本発明の実施形態を説明したが、上述した実施形態は本発明を実施するための例示に過ぎない。よって、本発明は上述した実施形態に限定されることなく、その趣旨を逸脱しない範囲内で上述した実施形態を適宜変形して実施することが可能である。
【符号の説明】
【０１０９】
１００    内容器
２００    外容器
３００    二重容器
１４      第１胴部
１８      第１口部
２１４    第２胴部
２１８    第２口部
３０      アダプタ
６０      ポンプ
６１      ポンプキャップ
１６４    第１雌螺子
１６５    第２雌螺子
１８１    第１雄螺子
２８１    第２雄螺子
４００    位置決め部
４１０    第１位置決め部
４２０    第２位置決め部
【要約】      （修正有）【課題】外容器だけでなくポンプを再利用でき、かつ、内容器及び外容器の取り付け順序に制限がなく、ポンプ、内容器及び外容器を容易に取り付けることができる二重容器を提供する。【解決手段】内容器１００の第１雄螺子１８１に対してポンプキャップ６１の第１雌螺子１６４を締め付け、かつ、外容器２００の第２雄螺子２８１に対してポンプキャップ６１の第２雌螺子１６５を締め付ける方向を締め付け方向Ｄ１とし、第１雄螺子１８１に対して第１雌螺子１６４を緩め、かつ、第２雄螺子２８１に対して第２雌螺子１６５を緩める方向を開放方向Ｄ２として、外容器２００及び内容器１００は、外容器２００と内容器１００の締め付け方向Ｄ１における相対移動を、締め付け方向Ｄ１における所定位置で制限するとともに、開放方向Ｄ２の相対移動を許容する位置決め部を有する。【選択図】図１【図１】
0005789063.tif 000002
【図２】
0005789063.tif 000003
【図３】
0005789063.tif 000004
【図４】
0005789063.tif 000005
【図５】
0005789063.tif 000006
【図６】
0005789063.tif 000007
【図７Ａ】
0005789063.tif 000008
【図７Ｂ】
0005789063.tif 000009
【図８】
0005789063.tif 000010
【図９】
0005789063.tif 000011
【図１０】
0005789063.tif 000012